(57)【要約】【課題】ダストボックスを降下させるための機構の信頼性を向上させる。【解決手段】天井Ｃに設けられ、熱交換器９と、下方より空気を吸引するファン１０を有する本体部２と、ファン１０の下方に設けられ、ファン１０によって吸引される空気と共に流入する虫を捕集する面状のフィルタ７と、フィルタ７の上方に配置され、虫を誘引する機能を有する誘引装置１１と、フィルタ７に付着した虫を回収する虫回収装置１２と、虫回収装置１２によって回収された虫を貯留するダストボックス１３と、ダストボックス１３のみを昇降させる昇降装置１４と、を備える空気調和機１を提供する。【選択図】図２
2019184094.tif 000002
【特許請求の範囲】
【請求項１】
天井に設けられ、熱交換器と、下方より空気を吸引するファンを有する本体部と、
前記ファンの下方に設けられ、前記ファンによって吸引される空気と共に流入する虫を捕集する面状のフィルタと、
前記フィルタの上方に配置され、虫を誘引する機能を有する誘引装置と、
前記フィルタに付着した前記虫を回収する虫回収装置と、
前記虫回収装置によって回収された前記虫を貯留するダストボックスと、
前記ダストボックスのみを昇降させる昇降装置と、を備える空気調和機。
【請求項２】
前記ダストボックスに貯留された虫の嵩を測定するセンサと、
前記センサによって測定された虫の嵩が所定量を超えた場合に、前記昇降装置を制御して前記ダストボックスを降下させる制御装置と、を有する請求項１に記載の空気調和機。
【請求項３】
前記本体部が作動した積算時間を計測し、前記積算時間が所定の長さに達した場合に、前記昇降装置を制御して前記ダストボックスを降下させる制御装置と、を有する請求項１に記載の空気調和機。
【請求項４】
前記昇降装置は、
前記本体部に固定されたモータと、
前記モータのシャフトに巻き付けられたワイヤと、
前記ワイヤの先端に取り付けられたフックと、を有し、
前記ダストボックスは、前記フックに引っ掛けられている請求項１から請求項３のいずれか一項に記載の空気調和機。
【発明の詳細な説明】
【技術分野】
【０００１】
本発明は、空気調和機に関する。
【背景技術】
【０００２】
従来から、室内の天井に設けられて、室内の空気の温度、湿度を調整する空気調和機が知られている。このような空気調和機では、中央部分に下方から空気を吸い込む吸込口が設けられ、その周りを囲むように空気の吹出口が複数設けられているものが知られている。
【０００３】
空気調和機は、吸い込む空気に含まれる塵埃を取り除くためのフィルタを有している。特許文献１には、フィルタに付着した塵埃を除去する除去手段を有し、塵埃が貯留されたダストボックスが備えられた吸込グリルを降下させることができる空気調和機が開示されている。
【先行技術文献】
【特許文献】
【０００４】
【特許文献１】特開２０１０−１７５０２号公報
【発明の概要】
【発明が解決しようとする課題】
【０００５】
ところで、特許文献１に記載されている空気調和機は、吸込グリル全体を降下させる構成であるため、降下させるための機構に大きな負荷がかかるという課題があった。
【０００６】
この発明は、ダストボックスを降下させるための機構の信頼性を向上させることができる空気調和機を提供することを目的とする。
【課題を解決するための手段】
【０００７】
本発明の第一の態様によれば、空気調和機は、天井に設けられ、熱交換器と、下方より空気を吸引するファンを有する本体部と、前記ファンの下方に設けられ、前記ファンによって吸引される空気と共に流入する虫を捕集する面状のフィルタと、前記フィルタの上方に配置され、虫を誘引する機能を有する誘引装置と、前記フィルタに付着した前記虫を回収する虫回収装置と、前記虫回収装置によって回収された前記虫を貯留するダストボックスと、前記ダストボックスのみを昇降させる昇降装置と、を備える。
【０００８】
このような構成によれば、虫が貯留されたダストボックスのみを昇降させることによって、昇降装置にかかる負担を軽減することができる。これにより、昇降装置の信頼性を向上させることができる。
また、フィルタの上方に誘引装置を配置したことによって、虫を効率的にフィルタに付着させることができる。
【０００９】
上記空気調和機において、前記ダストボックスに貯留された虫の嵩を測定するセンサと、前記センサによって測定された虫の嵩が所定量を超えた場合に、前記昇降装置を制御して前記ダストボックスを降下させる制御装置と、を有してよい。
【００１０】
このような構成によれば、定期的にダストボックスを昇降させる場合と比較して、ダストボックスを昇降させる回数を減らすことができる。
【００１１】
上記空気調和機において、前記本体部が作動した積算時間を計測し、前記積算時間が所定の長さに達した場合に、前記昇降装置を制御して前記ダストボックスを降下させる制御装置と、を有してよい。
【００１２】
このような構成によれば、虫の嵩を測定するセンサを用いることなく、昇降装置を昇降させることができる。
【００１３】
上記空気調和機において、前記昇降装置は、前記本体部に固定されたモータと、前記モータのシャフトに巻き付けられたワイヤと、前記ワイヤの先端に取り付けられたフックと、を有し、前記ダストボックスは、前記フックに引っ掛けられてよい。
【００１４】
このような構成によれば、ダストボックスを容易に取り外して、ダストボックスの清掃などを行うことができる。
【発明の効果】
【００１５】
本発明によれば、虫が貯留されたダストボックスのみを昇降させることによって、昇降装置にかかる負担を軽減することができる。これにより、昇降装置の信頼性を向上させることができる。
また、フィルタの上方に誘引装置を配置したことによって、虫を効率的にフィルタに付着させることができる。
【図面の簡単な説明】
【００１６】
【図１】本発明の実施形態の空気調和機を下方から見た斜視図である。
【図２】本発明の実施形態の空気調和機の断面図である。
【図３】本発明の実施形態の空気調和機の虫回収装置、昇降装置、及びダストボックスの斜視図である。
【図４】本発明の実施形態の空気調和機の虫回収装置の動きを説明する側面図である。
【図５】本発明の実施形態の空気調和機のダストボックス及び昇降装置の分解斜視図である。
【発明を実施するための形態】
【００１７】
以下、本発明の実施形態の空気調和機（室内機）について図面を参照して詳細に説明する。
図１及び図２に示すように、空気調和機１は、室内の天井Ｃに埋め込まれた本体部２と、本体部２を下方から覆うパネル部３と、を有している。空気調和機１は、吸込口４を介して吸い込んだ空気の温度、湿度を調整して、空調風として吹出口５を介して室内へ吹き出す。
【００１８】
空気調和機１の吸込口４の内側（上方）には、吸い込んだ空気に含まれる塵埃や虫を捕集するフィルタ７が設けられている。本実施形態の空気調和機１は、フィルタ７によって捕集された虫を貯留するダストボックス１３と、ダストボックス１３のみを昇降させる昇降装置１４を有している。図１は、ダストボックス１３を下降させた状態の空気調和機１を示している。
【００１９】
本体部２は、下方が開口された箱型のハウジング８と、ハウジング８に収容された熱交換器９と、熱交換器９の下方に配置されている送風ファン１０と、送風ファン１０の下方に設けられたフィルタ７と、フィルタ７の上方に配置された誘引装置１１と、フィルタ７に付着した虫を回収する虫回収装置１２と、虫回収装置１２によって回収された虫を貯留するダストボックス１３と、ダストボックス１３に貯留された虫の嵩を測定するセンサ１６と、ダストボックス１３のみを昇降させる昇降装置１４と、昇降装置１４を制御する制御装置１７と、を有している。本体部２には図示しない室外機が接続され、室外機との間で冷媒が循環するようになっている。
【００２０】
パネル部３は、下方から見て略正方形状をなしている。吸込口４は、パネル部３の中央部に下方に開口して形成されている。吸込口４には格子状の吸込みグリルが設けられている。吸込口４からは、室内の空気が吸い込まれる。吸込口４はパネル部３と同様に下方から見て略正方形状をなしている。パネル部３の四辺の各々と吸込口４の四辺の各々とは平行となっている。
【００２１】
吹出口５は、パネル部３に、吸込口４の周囲を取り囲むようにして下方に開口して形成されている。吹出口５は、パネル部３の各辺に対応するように、一ずつが各辺に沿って延びるように設けられている。各々の吹出口５は下方から見て略長方形状をなしている。吸込口４から吸い込まれた空気は、本体部２内で空気調和された後に吹出口５から室内へ吹き出される。
パネル部３には、ダストボックス１３が昇降する際に、ダストボックス１３を通過させるダストボックス通過孔１５が形成されている。ダストボックス通過孔１５は、４つの吹出口５のいずれかと吸込口４との間に吹出口５と平行となるように配置されている。
【００２２】
フィルタ７は、送風ファン１０によって吸引される空気と共に流入する虫を捕集する面状の部材である。フィルタ７は、送風ファン１０の下方であって、送風ファン１０によって生じる上昇流の中に配置されている。フィルタ７は、所定の方法で、ハウジング８に固定されている。
【００２３】
誘引装置１１は、送風ファン１０の下方、かつ、フィルタ７の上方で、本体部２の略中央に固定されている誘引装置本体１９と、誘引装置本体１９とハウジング８とを接続して、誘引装置本体１９の位置を保持するブラケット２０と、を有している。誘引装置１１は、例えば、虫を誘引する紫外線を含有した光を照射する誘引光源によって構成することができる。誘引装置１１としては、例えば、虫が好む匂いを発する装置なども用いることができる。
【００２４】
図３に示すように、虫回収装置１２は、フィルタ７に付着した虫を掻き取るブラシ部２１と、ブラシ部２１によって掻き取られた虫を一時的に貯留するケーシング２２と、ブラシ部２１の両端をガイドする一対のレール部２３と、ブラシ部２１をフィルタ７の面上で回転させながら走行させるブラシ駆動装置（図示せず）と、を有している。
【００２５】
ブラシ部２１は、矩形状のフィルタ７の下面に沿って延在するシャフト２４と、シャフト２４の周囲に設けられたブラシ２５と、を有している。
一対のレール部２３は、ブラシ部２１の延在方向と直交する水平方向に延在する案内部材である。レール部２３には、全長にわたって、ラックギアが形成されている。
ブラシ駆動装置は、ブラシ部２１を回転させるモータと、レール部２３のラックギアと噛み合い、モータの回転に伴い回転するピニオンギアと、を有している。
【００２６】
ケーシング２２は、ブラシ部２１及びブラシ駆動装置を収容するとともに、ブラシ部２１によって掻き取られた虫を一時的に貯留する機能を有している。
ケーシング２２には、貯留された虫を下方に落下させるためのゲート２６が設けられている。ゲート２６は、図４の一点鎖線で示す位置にケーシング２２が移動した際に開くようになっている。この位置は、ダストボックス１３が昇降する位置である。
【００２７】
ダストボックス１３は、虫回収装置１２のゲート２６が開いた際に、虫を受け入れ可能な位置に配置されている上方が開口された箱状部材である。ダストボックス１３は、ブラシ部２１の長手方向に沿って延在している。ダストボックス１３は、矩形状の底面２７と、底面２７の四辺から上方に立ち上がる４つの側面２８と、を有している。
【００２８】
ダストボックス１３は、昇降装置１４によって上方位置（図２に示す位置）と下方位置（図１に示す位置）との間で昇降自在である。ダストボックス１３は、ダストボックス１３が昇降装置１４によって、上方位置に位置している場合、ダストボックス１３の底面２７がパネル部３の主面と面一となるように設定されている。
ダストボックス１３の内面には、引き剥がし可能なフィルムが貼り付けられている。ダストボックス１３の内面が汚れた際にフィルムを引き剥がすことで、ダストボックス１３の汚れを容易に落とすことができる。
【００２９】
昇降装置１４は、ハウジング８に固定されているモータ２９と、モータ２９のシャフトに巻き付けられた昇降用ワイヤ３０と、昇降用ワイヤ３０の先端に取り付けられたダストボックス取外しフック３１と、を有している。ダストボックス１３は、ダストボックス取外しフック３１に引っ掛けられている。
【００３０】
ダストボックス取外しフック３１はレバー３２を有しており、このレバー３２を操作することによって、図５に示す開状態と、閉状態とに切り替えることができる。
ダストボックス１３の長手方向の両端には、ダストボックス吊り金具３３を引っ掛けるための貫通孔３４が設けられている。
【００３１】
ダストボックス吊り金具３３は、ダストボックス取外しフック３１によってダストボックス１３を吊り下げることを可能にするための金具であり、両端にダストボックス１３の貫通孔３４に引っ掛かるダストボックス固定部３５が形成され、かつ、中央部にダストボックス取外しフック３１を引っ掛けるフック引っ掛け金具３６が設けられている。
【００３２】
昇降装置１４と制御装置１７とは、電気的に接続されている。即ち、制御装置１７は、昇降装置１４を制御してダストボックス１３を昇降させることができる。
【００３３】
センサ１６は、上方位置に位置され、パネル部３に格納されたダストボックス１３に貯留された虫の嵩を測定する機能を有している。センサ１６としては、例えば、光学反射式のセンサを採用することができる。センサ１６と制御装置１７とは、電気的に接続されている。
【００３４】
制御装置１７は、センサ１６を用いてダストボックス１３に貯留された虫の嵩を測定し、虫の嵩が所定高さに達しているか（所定量を超えているか）否かを判定する嵩高さ判定部と、虫の嵩が所定高さよりも高い場合に、昇降装置１４を制御してダストボックス１３を下降させるダストボックス下降部と、を有している。
【００３５】
次に、本実施形態の空気調和機１の作用について説明する。
空気調和機１の運転中は、送風ファン１０によって生じる上昇流によってフィルタ７に塵埃及び虫が付着する。誘引装置１１が作動することによって、虫が誘引装置１１に引き寄せられてフィルタ７に付着しやすくなる。
【００３６】
制御装置１７は、例えば、空気調和機１の電源をオフにするタイミングで、虫回収装置１２を作動させる。
使用者によって空気調和機１の電源がオフにされると、制御装置１７は、虫回収装置１２のブラシ駆動装置を作動させる。ブラシ駆動装置のモータが回転することによって、ブラシ部２１がフィルタ７上を移動し、フィルタ７に付着した虫がケーシング２２に貯留される。ブラシ部２１が、図４の一点鎖線で示す位置まで移動すると、ゲート２６が開き、虫がダストボックス１３内に落下する。
【００３７】
制御装置１７の嵩高さ判定部は、ダストボックス１３に貯留された虫の嵩を測定し、虫の嵩が所定高さに達しているか否かを判定する。制御装置１７のダストボックス下降部は、虫の嵩が所定高さよりも高い場合に、昇降装置１４を制御して、ダストボックス１３を下降させる。ダストボックス１３が下方位置まで下降することによって、使用者は、ダストボックス１３内の虫を取り除くことができる。
【００３８】
上記実施形態によれば、虫が貯留されたダストボックス１３のみを昇降させることによって、昇降装置１４にかかる負担を軽減することができる。これにより、昇降装置１４の信頼性を向上させることができる。
また、フィルタ７の上方に誘引装置１１を配置したことによって、虫を効率的にフィルタ７に付着させることができる。
【００３９】
また、制御装置１７がセンサ１６を用いてダストボックス１３に貯留された虫の嵩を測定し、虫の嵩が所定高さよりも高い場合に、ダストボックス１３を下降させることによって、定期的にダストボックス１３を昇降させる場合と比較して、ダストボックス１３を昇降させる回数を減らすことができる。
【００４０】
また、昇降装置１４がダストボックス取外しフック３１を有し、ダストボックス１３がダストボックス取外しフック３１に引っ掛けられていることによって、ダストボックス１３を容易に取り外して、ダストボックス１３の清掃などを行うことができる。
【００４１】
（変形例）
次に、本発明の変形例について説明する。なお、変形例では、上述した実施形態との相違点を中心に述べ、同様の部分についてはその説明を省略する。
変形例の制御装置１７は、本体部２が作動した積算時間を計測し、積算時間が所定の長さに達した場合に、昇降装置１４を制御してダストボックス１３を降下させる。変形例の空気調和機１は、ダストボックス１３に貯留された虫の嵩に関わらず、本体部２が作動した積算時間によってダストボックス１３を昇降させる。
このような構成によれば、虫の嵩を測定するセンサを用いることなく、昇降装置１４を昇降させることができる。
【００４２】
以上、本発明の実施の形態について図面を参照して詳述したが、具体的な構成はこの実施の形態に限られるものではなく、本発明の要旨を逸脱しない範囲の設計変更等も含まれる。
なお、上記実施形態では、虫回収装置１２がブラシ２５を用いてフィルタ７上の虫を掻き落とす構成としたが、これに限ることはなく、例えば、吸引装置を用いて虫を吸引して回収する構成としてもよい。
【符号の説明】
【００４３】
１  空気調和機
２  本体部
３  パネル部
４  吸込口
５  吹出口
７  フィルタ
８  ハウジング
９  熱交換器
１０  送風ファン（ファン）
１１  誘引装置
１２  虫回収装置
１３  ダストボックス
１４  昇降装置
１５  ダストボックス通過孔
１６  センサ
１７  制御装置
１９  誘引装置本体
２０  ブラケット
２１  ブラシ部
２２  ケーシング
２３  レール部
２４  シャフト
２５  ブラシ
２６  ゲート
２７  底面
２８  側面
２９  モータ
３０  昇降用ワイヤ
３１  ダストボックス取外しフック
３２  レバー
３３  ダストボックス吊り金具
３４  貫通孔
３５  ダストボックス固定部
３６  フック引っ掛け金具
Ｃ  天井
【図１】
2019184094.tif 000003
【図２】
2019184094.tif 000004
【図３】
2019184094.tif 000005
【図４】
2019184094.tif 000006
【図５】
2019184094.tif 000007